(57)【要約】【課題】給電効率を改善し、および／または、温度の上昇を抑制する。【解決手段】受信コイル６からの交流のコイル電流ＩＲＸを受け、直流の出力電圧ＶＯＵＴを供給する受電制御回路１００が提供される。整流回路１０２は、コイル電流ＩＲＸを整流する。リニアレギュレータ１０６は、平滑コンデンサ１０４に生ずる整流電圧ＶＲＥＣＴを受け、所定の目標レベルに安定化された出力電圧ＶＯＵＴを生成する。制御部１０８には、充電電流ＩＣＨＧの量と整流電圧ＶＲＥＣＴの目標値の関係である制御特性が定められており、充電電流ＩＣＨＧの量を検出し、制御特性にしたがい充電電流ＩＣＨＧの検出量に応じて、ワイヤレス給電装置にが送信すべき電力を指示する情報を送信する。制御部１０８は、制御特性が変更可能に構成される。【選択図】図３
2014082864.tif 000002
【特許請求の範囲】
【請求項１】
受信コイルからの交流のコイル電流を受け、２次電池を充電する充電回路に安定化された直流の出力電圧を供給する受電制御回路であって、
前記コイル電流を整流する整流回路と、
前記整流回路の出力と接続された平滑コンデンサと、
前記平滑コンデンサに生ずる整流電圧を受け、所定の目標レベルに安定化された前記出力電圧を生成するレギュレータと、
前記２次電池への充電電流の量と前記整流電圧の目標値の関係が定められており、前記充電電流の量を検出し、前記関係にしたがい前記充電電流の検出量に応じて、ワイヤレス給電装置が送信すべき電力を指示する情報を前記ワイヤレス給電装置に送信する制御部と、
を備え、
前記制御部は、前記充電電流の検出量と前記整流電圧の目標値との前記関係が変更可能に構成されることを特徴とする受電制御回路。
【請求項２】
前記制御部は、温度に応じて、前記充電電流の検出量と前記整流電圧の目標値の関係を変化させることを特徴とする請求項１に記載の受電制御回路。
【請求項３】
前記制御部は、前記充電電流が相対的に小さな領域において、前記充電電流の検出値と前記整流電圧の目標値の積を、温度が高いほど低下させることを特徴とする請求項２に記載の受電制御回路。
【請求項４】
前記制御部は、温度と所定のしきい値の比較結果にもとづいて、前記充電電流の検出量と前記整流電圧の目標値の関係を変化させることを特徴とする請求項３に記載の受電制御回路。
【請求項５】
前記制御部は、前記温度に加えて、外部からの制御信号に応じて、前記充電電流の検出量と前記整流電圧の目標値の関係を変化させることを特徴とする請求項２に記載の受電制御回路。
【請求項６】
前記レギュレータは、その出力電圧の前記目標レベルを外部から設定可能に構成され、
前記制御信号は、前記レギュレータの出力電圧の前記目標レベルを設定するための信号であることを特徴とする請求項５に記載の受電制御回路。
【請求項７】
前記制御部は、外部からの制御信号に応じて、前記充電電流の検出量と前記整流電圧の目標値の関係を切りかえることを特徴とする請求項１に記載の受電制御回路。
【請求項８】
前記レギュレータは、その出力電圧の前記目標レベルを外部から設定可能に構成され、
前記制御信号は、前記レギュレータの出力電圧の前記目標レベルを設定するための信号であることを特徴とする請求項７に記載の受電制御回路。
【請求項９】
前記関係は、前記整流電圧の目標値が前記充電電流の検出量が小さいほど高くなるよう定められることを特徴とする請求項１から８のいずれかに記載の受電制御回路。
【請求項１０】
Ｑｉ規格に準拠していることを特徴とする請求項１から９のいずれかに記載の受電制御回路。
【請求項１１】
請求項１から１０のいずれかに記載の受電制御回路を備えることを特徴とする電子機器。
【請求項１２】
ワイヤレス受電装置の制御方法であって、
前記ワイヤレス受電装置は、
受信コイルと、
前記受信コイルに流れる電流を整流する整流回路と、
前記整流回路の出力と接続された平滑コンデンサと、
前記平滑コンデンサに生ずる整流電圧を受け、所定の目標レベルに安定化された出力電圧を生成するレギュレータと、
前記出力電圧を受け、２次電池を充電する充電回路と、
を備え、
前記制御方法は、
前記ワイヤレス受電装置の状態に応じて、前記２次電池への充電電流の量と前記整流電圧の目標値の関係を定めるステップと、
前記２次電池への充電電流の量を検出するステップと、
前記関係にしたがい前記充電電流の検出量に応じて、ワイヤレス給電装置が送信すべき電力を指示する情報を前記ワイヤレス給電装置に送信するステップと、
を備えることを特徴とする制御方法。
【請求項１３】
前記ワイヤレス受電装置の状態は、温度であることを特徴とする請求項１２に記載の制御方法。
【請求項１４】
前記充電電流が相対的に小さな領域において、前記充電電流の検出値と前記整流電圧の目標値の積を、温度が高いほど低下させることを特徴とする請求項１３に記載の制御方法。
【請求項１５】
前記ワイヤレス受電装置の状態は、前記温度に加えて、外部からの制御信号を含むことを特徴とする請求項１３に記載の制御方法。
【請求項１６】
前記レギュレータは、その出力電圧の前記目標レベルを外部から設定可能に構成され、
前記制御信号は、前記レギュレータの出力電圧の前記目標レベルを設定するための信号であることを特徴とする請求項１５に記載の制御方法。
【請求項１７】
前記ワイヤレス受電装置の状態は、外部からの制御信号を含むことを特徴とする請求項１２に記載の制御方法。
【請求項１８】
前記レギュレータは、その出力電圧の前記目標レベルを外部から設定可能に構成され、
前記制御信号は、前記レギュレータの出力電圧の前記目標レベルを設定するための信号であることを特徴とする請求項１７に記載の制御方法。
【請求項１９】
前記関係は、前記整流電圧の目標値が前記充電電流の検出量が小さいほど高くなるよう定められることを特徴とする請求項１２から１８のいずれかに記載の制御方法。
【発明の詳細な説明】
【技術分野】
【０００１】
本発明は、ワイヤレス給電技術に関する。
【背景技術】
【０００２】
近年、電子機器に電力を供給するために、無接点電力伝送（非接触給電、ワイヤレス給電ともいう）が普及し始めている。異なるメーカーの製品間の相互利用を促進するために、ＷＰＣ（Wireless Power Consortium）が組織され、ＷＰＣにより国際標準規格であるＱｉ（チー）規格が策定された。
【０００３】
Ｑｉ規格に準拠したワイヤレス給電システムでは、ワイヤレス受電装置（レシーバ）とワイヤレス給電装置（トランスミッタ）の間の通信によって、給電される電力が制御可能となっている。今後はＱｉ規格に限らずに、受電装置からの指令により給電電力が制御可能なシステムが普及するものと考えられる。
【発明の概要】
【発明が解決しようとする課題】
【０００４】
現在のワイヤレス受電装置では、２次電池に安定した電力を供給することに主眼が置かれており、ワイヤレス受電装置が使用される環境、プラットフォームによっては、給電効率が低下したり、温度が高くなるという問題が生じうる。
【０００５】
本発明は係る状況に鑑みてなされたものであり、そのある態様の例示的な目的のひとつは、給電効率の改善、および／または、温度上昇の抑制などが可能なワイヤレス受電装置の提供にある。
【課題を解決するための手段】
【０００６】
本発明のある態様は、受信コイルからの交流のコイル電流を受け、２次電池を充電する充電回路に安定化された直流の出力電圧を供給する受電制御回路に関する。受電制御回路は、コイル電流を整流する整流回路と、整流回路の出力と接続された平滑コンデンサと、平滑コンデンサに生ずる整流電圧を受け、所定の目標レベルに安定化された出力電圧を生成するレギュレータと、２次電池への充電電流の量と整流電圧の目標値の関係が定められており、充電電流の量を検出し、その関係にしたがい充電電流の検出量に応じて、ワイヤレス給電装置が送信すべき電力を指示する情報をワイヤレス給電装置に送信する制御部と、を備える。制御部は、充電電流の検出量と整流電圧の目標値との関係が変更可能に構成される。
【０００７】
「充電電流の検出量」は、実際の充電電流の測定値であってもよいし、定電流充電を行う場合には、充電電流の指令値であってもよい。
受電制御回路の消費電力は、充電電流の検出量と平滑コンデンサに生ずる整流電圧の積に応じているため、整流電圧の目標値を、充電電流の検出量に応じて制御することにより、給電される電力を安定させることができる。
【０００８】
加えて、２次電池への充電電流の量と整流電圧の目標値の関係を変更可能とし、ワイヤレス受電装置の状態に応じて、適切な関係を選択することにより、受電制御回路の使用環境、プラットフォーム等にかかわらず、高い効率を得ることができ、あるいは、温度上昇を抑制できる。
【０００９】
制御部は、温度に応じて、充電電流の検出量と整流電圧の目標値の関係を変化させてもよい。
温度が上昇したとき、充電電流を減少させることにより、充電回路の消費電力を低減させ、充電回路のさらなる発熱を抑制することができる。ところがこのときに、受電制御回路において、温度にかかわらず常に同じ関係にしたがって整流電圧を制御すると、充電電流の減少にともない整流電圧が上昇するため、受電制御回路における消費電力は低下せず、その発熱は抑制されない。これに対して、温度に応じて充電電流と整流電圧の関係を変化させることにより、充電電流が減少したときの整流電圧の上昇を抑制でき、温度の上昇を抑制できる。
【００１０】
制御部は、充電電流が相対的に小さな領域において、充電電流の検出値と整流電圧の目標値の積を、温度が高いほど低下させてもよい。
【００１１】
制御部は、温度と所定のしきい値の比較結果にもとづいて、充電電流の検出量と整流電圧の目標値の関係を変化させてもよい。
【００１２】
制御部は、温度に加えて、外部からの制御信号に応じて、充電電流の検出量と整流電圧の目標値の関係を変化させてもよい。
【００１３】
レギュレータは、その出力電圧の目標レベルを外部から設定可能に構成され、制御信号は、レギュレータの目標レベルを設定するための信号であってもよい。
リニアレギュレータの消費電力は、その入力電圧である整流電圧と、その出力電圧との差分に比例する。この態様によれば、出力電圧の目標値に応じて、整流電圧の電圧レベルを適切に設定できるため、リニアレギュレータの不要な消費電力を低減でき、効率を高めることができる。
【００１４】
制御部は、外部からの制御信号に応じて、充電電流の検出量と整流電圧の目標値の関係を切りかえてもよい。
【００１５】
レギュレータは、その出力電圧の目標レベルを外部から設定可能に構成されてもよい。制御信号は、レギュレータの目標レベルを設定するための信号であってもよい。この場合、リニアレギュレータの不要な消費電力を低減できる。
【００１６】
制御信号は、温度を示す信号であってもよい。この場合、温度の上昇を抑制できる。
【００１７】
関係は、整流電圧の目標値が、充電電流の検出量が小さいほど高くなるよう定められてもよい。これにより、給電電力を一定に制御できる。
【００１８】
ある態様の受電制御回路は、Ｑｉ規格に準拠していてもよい。
【００１９】
受電制御回路は、ひとつの半導体基板に一体集積化されてもよい。
「一体集積化」とは、回路の構成要素のすべてが半導体基板上に形成される場合や、回路の主要構成要素が一体集積化される場合が含まれ、回路定数の調節用に一部の抵抗やキャパシタなどが半導体基板の外部に設けられていてもよい。
回路を１つのＩＣとして集積化することにより、回路面積を削減することができるとともに、回路素子の特性を均一に保つことができる。
【００２０】
本発明の別の態様は電子機器に関する。電子機器は、上述のいずれかの受電制御回路を備えてもよい。
【００２１】
なお、以上の構成要素の任意の組み合わせや、本発明の構成要素や表現を、方法、装置、システムなどの間で相互に置換したものもまた、本発明の態様として有効である。
【発明の効果】
【００２２】
本発明のある態様によれば、給電効率を改善でき、あるいは温度上昇を抑制できる。
【図面の簡単な説明】
【００２３】
【図１】比較技術に係るワイヤレス給電システムを示す回路図である。
【図２】充電電流の量と整流電圧の目標値の関係（制御特性）の一例を示す図である。
【図３】第１の実施の形態に係る受電制御回路の構成を示す回路図である。
【図４】図４（ａ）〜（ｃ）は、第１の実施の形態における制御特性の温度依存性を示す図である。
【図５】第２の実施の形態に係る受電制御回路の構成を示す回路図である。
【図６】第２の実施の形態における制御特性の出力電圧依存性を示す図である。
【図７】電子機器の一例を示す図である。
【発明を実施するための形態】
【００２４】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２５】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２６】
（比較技術）
はじめに、ワイヤレス給電システムにおける問題点を明確化するため、本発明者らが事前に検討した比較技術について説明する。
【００２７】
図１は、比較技術に係るワイヤレス給電システムを示す回路図である。ワイヤレス給電システム１ｒは、ワイヤレス給電装置２と、ワイヤレス受電装置３ｒを備える。
【００２８】
ワイヤレス給電装置２は、送信コイル７、ドライバ８、制御部９を備える。ドライバ８は、送信コイル７に交流のコイル電流ＩＴＸを発生させる。送信コイル７からは、コイル電流ＩＴＸに応じた電力信号Ｓ１が送信される。
【００２９】
このワイヤレス給電システム１ｒでは、ワイヤレス給電装置２からの送信電力が、ワイヤレス受電装置３からの制御指令に応じて制御可能となっている。このようなシステムとしては、Ｑｉ（チー）規格に準拠した給電システムが例示されるが、本発明はそれには限定されない。
【００３０】
制御部９は、後述するようにワイヤレス受電装置３ｒからの制御指令Ｓ２にもとづいて、ドライバ８が制御し、送信コイル７に流れる電流ＩＴＸの振幅を調節し、電力信号Ｓ１の強度すなわち給電電力を調節する。
【００３１】
ワイヤレス受電装置３ｒは、２次電池４、充電回路５、受信コイル６、受電制御回路１００ｒを備える。
【００３２】
受信コイル６は、ワイヤレス給電装置２の送信コイル７からの電力信号Ｓ１を受け、それに応じた交流のコイル電流ＩＲＸを発生させる。受電制御回路３００ｒは、コイル電流ＩＲＸを受け、それを整流し、所定レベルに安定化された直流の出力電圧ＶＯＵＴを生成する受電制御回路１００ｒは、整流回路１０２、平滑コンデンサ１０４、リニアレギュレータ（LDO:Low Drop Output）１０６、制御部１０８を含む。整流回路１０２、リニアレギュレータ１０６、制御部１０８はひとつの半導体基板に機能ＩＣ（Integrated Circuit）として集積化され、平滑コンデンサ１０４は、機能ＩＣに外付けされる。
【００３３】
整流回路１０２は、コイル電流ＩＲＸを整流する。整流回路１０２は、ダイオードブリッジ回路であってもよいし、Ｈブリッジ回路であってもよい。平滑コンデンサ１０４は、整流回路１０２の出力と接続され、整流回路１０２の出力電圧を平滑化する。リニアレギュレータ１０６は、平滑コンデンサ１０４に生ずる直流電圧（整流電圧という）ＶＲＥＣＴを受け、所定の目標レベルに安定化された出力電圧ＶＯＵＴを生成する。
【００３４】
制御部１０８は、ワイヤレス給電装置２の制御部９に対して、ワイヤレス給電装置２が送信すべき電力を指示する制御指令Ｓ２を生成する。具体的には、制御部１０８には、２次電池４への充電電流ＩＣＨＧの検出量と整流電圧ＶＲＥＣＴの目標値の関係（制御特性ともいう）が定められている。制御特性は、テーブルの形式で用意されてもよいし、演算式の形式で用意されてもよく、その形式は特に限定されない。
【００３５】
図２は、充電電流ＩＣＨＧの量と整流電圧ＶＲＥＣＴの目標値の関係（制御特性）の一例を示す図である。平滑コンデンサ１０４を電源として把握したときに、その負荷であるリニアレギュレータ１０６、充電回路５および２次電池４に供給される電力の合計は、整流電圧ＶＲＥＣＴと充電電流ＩＣＨＧの積で与えられる。整流電圧ＶＲＥＣＴの目標値は、充電電流ＩＣＨＧの検出量が小さいほど高くなるよう定められる。
【００３６】
以上がワイヤレス給電システム１ｒの構成である。続いてワイヤレス給電システム１ｒの課題を説明する。
【００３７】
課題１．  ワイヤレス給電システム１ｒでは、大電力を給電するため、何らの対策を施さないと、ワイヤレス受電装置３ｒの温度は高くなってしまう。ワイヤレス受電装置３ｒの温度を低減するためには、受電制御回路１００ｒの消費電力と、充電回路５の消費電力を低減する必要がある。
【００３８】
充電回路５の消費電力ＰＣＨＧは、その電圧降下ΔＶＣＨＧと充電電流ＩＣＨＧの積ＰＣＨＧ＝ΔＶＣＨＧ×ＩＣＨＧで与えられる。充電回路５の入力電圧である出力電圧ＶＯＵＴは一定に保たれ、その出力電圧である電池電圧ＶＢＡＴもほぼ一定であるから、電圧降下ΔＶＣＨＧは一定とみなすことができる。つまり、温度の上昇にともない、充電電流ＩＣＨＧを低減することにより、充電回路５の消費電力ＰＣＨＧを低減することができる。
【００３９】
一方、リニアレギュレータ１０６の消費電力ＰＬＤＯは、その電圧降下ΔＶＬＤＯと充電電流ＩＣＨＧの積ΔＰＬＤＯ＝ΔＶＬＤＯ×ＩＣＨＧで与えられる。ここで、温度の上昇にともなって充電電流ＩＣＨＧを低減させると、整流電圧ＶＲＥＣＴは図２の制御特性にしたがって上昇する。整流電圧ＶＲＥＣＴの上昇はリニアレギュレータ１０６の電圧降下ΔＶＬＤＯは増大を意味するため、充電電流ＩＣＨＧを小さくしても、リニアレギュレータ１０６での消費電力ＰＬＤＯはそれほど小さくならず、受電制御回路１００ｒの温度の上昇を抑制することはできない。
【００４０】
課題２．  ２次電池４の種類、あるいは充電回路５の種類は、受電制御回路１００ｒが使用されるプラットフォームによってさまざまである。たとえば２次電池４が、公称電圧３．７Ｖのリチウムイオン電池であるとする。あるプラットフォーム（第１プラットフォームという）で使用される充電回路５は、このリチウムイオン電池４を充電するために、入力電圧ＶＯＵＴとして５Ｖ以上を必要とする。別のプラットフォーム（第２プラットフォームという）で使用される充電回路５は、その入力電圧ＶＯＵＴとして４．５Ｖを必要とする。この場合、受電制御回路１００ｒをいずれのプラットフォームでも使用可能とするためには、出力電圧ＶＯＵＴの目標レベルは５Ｖに設定する必要がある。
【００４１】
出力電圧ＶＯＵＴが５Ｖで設計された受電制御回路１００ｒを、第２プラットフォームで使用すると、充電回路５において無駄な電力損失が発生する。
【００４２】
以下では、比較技術において生ずる課題の少なくともひとつを解決可能な、実施の形態に係る受電制御回路について説明する。
【００４３】
（第１の実施の形態）
図３は、第１の実施の形態に係る受電制御回路１００の構成を示す回路図である。本実施の形態において、制御部１０８は、充電電流ＩＣＨＧの検出量と整流電圧ＶＲＥＣＴの目標値との関係である制御特性１０９が変更可能に構成される。たとえば制御部１０８は、複数の制御特性１０９＿１〜１０９＿ｎが選択可能に構成され、受電制御回路１００が使用されるプラットフォーム、受電制御回路１００やワイヤレス受電装置３全体の現在の状態に応じて、使用する制御特性１０９＿１を切りかえる。
【００４４】
受電制御回路１００は、温度センサ１１０を備える。温度センサ１１０は、受電制御回路１００の温度を検出する。制御部１０８は、検出された温度に応じて、制御特性を変化させる。なお、温度センサ１１０に代えて、外部のマイコンから温度を示すデータを受信してもよい。
【００４５】
図４（ａ）〜（ｃ）は、第１の実施の形態における制御特性の温度依存性を示す図である。
図４（ａ）に示すように、標準的な温度領域では、実線に示す低温時制御特性（i）が選択される。一方、温度が相対的に高い状態では、図４（ａ）に破線で示すような高温時制御特性（ii）が選択される。高温時制御特性（ii）は、低温時制御特性（i）に比べて、充電電流ＩＣＨＧが相対的に小さな領域Ａにおいて、充電電流ＩＣＨＧと整流電圧ＶＲＥＣＴの積、すなわち給電電力が小さくなるように定められる。別の観点から言えば、充電電流ＩＣＨＧが相対的に小さな領域Ａにおいて、同じ充電電流ＩＣＨＧの検出量に対する整流電圧ＶＲＥＣＴの目標値が低く定められる。
【００４６】
たとえば制御部１０８は、温度と所定のしきい値を比較し、その比較結果にもとづいて、制御特性を変化させてもよい。図４（ａ）では、２つの制御特性を切りかえる場合を示すが、温度に応じて、３個以上の制御特性を切りかえてもよい。
【００４７】
図４（ｂ）、（ｃ）には、別の高温時制御特性（iii）、（iv）が示される。これらの高温時制御特性（iii）、（iv）も、低温時制御特性（i）と比べて、充電電流ＩＣＨＧが相対的に小さな領域Ａにおいて、充電電流ＩＣＨＧと整流電圧ＶＲＥＣＴの積が小さくなるように定められる。
【００４８】
以上が第１の実施の形態に係る受電制御回路１００の構成である。続いてその動作を説明する。
【００４９】
温度が相対的に低い状態では、低温時制御特性が選択され、充電電流ＩＣＨＧにかかわらず、ワイヤレス受電装置３から給電される電力が一定となるように制御される。
【００５０】
温度が高くなると、それ以上の温度上昇を抑制すべく、充電回路５は充電電流ＩＣＨＧを低減させる。また温度が相対的に高い状態では、制御部１０８において高温時制御特性が選択され、低温時制御特性を選択した状態に比べて、給電される電力が減少する。
【００５１】
以上が受電制御回路１００の動作である。
この受電制御回路１００によれば、高温時に、充電電流ＩＣＨＧを減少させることにより、充電回路５の消費電力を低減することができる。加えて、ワイヤレス給電装置２から供給される電力も減少することから、リニアレギュレータ１０６の消費電力も低減することができる。つまりリニアレギュレータ１０６と充電回路５の消費電力を低減し、発熱を抑制できることから、上述の課題１を解決することができる。
【００５２】
（第２の実施の形態）
図５は、第２の実施の形態に係る受電制御回路１００ａの構成を示す回路図である。
第２の実施の形態においても、第１の実施の形態と同様に、制御部１０８ａは、制御特性が切りかえ可能となっている。受電制御回路１００ａは、温度センサ１１０に代えて制御端子１１２を備える。制御端子１１２には、外部からの制御信号Ｓ３が入力される。
【００５３】
制御部１０８ａは、制御信号Ｓ３に応じて、制御特性を切りかえる。これにより、ワイヤレス受電装置３の外部から、受電制御回路１００ａが使用されるプラットフォームに適した制御特性を選択、設定することができる。
【００５４】
好ましくは、レギュレータ１０６ａは、その出力電圧ＶＯＵＴの目標レベルが制御信号Ｓ３によって外部から設定可能に構成される。そして、制御部１０８は、出力電圧ＶＯＵＴを設定するための制御信号Ｓ３に応じて制御特性を選択する。
【００５５】
図６は、第２の実施の形態における制御特性の出力電圧依存性を示す図である。たとえばリニアレギュレータ１０６の出力電圧ＶＯＵＴは、制御信号Ｓ３の値に応じて、Ｎ段階（Ｎは２以上の整数）で切りかえ可能となっている。そして制御部１０８ａは、出力電圧ＶＯＵＴの設定値ごとに定められたＮ個の制御特性が選択可能となっている。
【００５６】
ここでは説明の簡潔化のため、Ｎ＝２とする。出力電圧ＶＯＵＴの目標値が第１の値ＶＯＵＴ１であるとき、実線に示す第１の制御特性（i）が、出力電圧ＶＯＵＴの目標値が第１の値ＶＯＵＴ１より低い第２の値ＶＯＵＴ２であるとき、破線で示す第２の制御特性（ii）が選択される。
【００５７】
本実施の形態では、制御特性（i）、（ii）でそれぞれ規定される整流電圧ＶＲＥＣＴの最小値ＶＲＥＣＴ＿ＭＩＮ１、ＶＲＥＣＴ＿ＭＩＮ2は、出力電圧ＶＯＵＴの設定値ＶＯＵＴ１、ＶＯＵＴ２に応じて定められる。
【００５８】
より具体的には、出力電圧ＶＯＵＴの設定値ＶＯＵＴｘに対して、整流電圧ＶＲＥＣＴの最小値ＶＲＥＣＴ＿ＭＩＮを、ＶＲＥＣＴ＿ＭＩＮ≒ＶＯＵＴｘ＋ＩＣＨＧ＿ＭＡＸ×ＲＯＮを満たすように定めている。ＲＯＮは、リニアレギュレータ１０６のオン抵抗であり、ＩＣＨＧ＿ＭＡＸは想定される最大の充電電流である。
【００５９】
最小値ＶＲＥＣＴ＿ＭＩＮ以外の電圧レベルについても、第１の制御特性（i）は、第２の制御特性（ii）に比べて高く定められる。
【００６０】
以上が受電制御回路１００ａの構成である。続いてその利点を説明する。
比較技術に関連して説明したように、ワイヤレス受電装置３が搭載されるプラットフォームごとに、充電回路５の入力電圧ＶＯＵＴの最適な値は異なる。第２の実施の形態では、プラットフォーム毎に最適な電圧ＶＯＵＴを充電回路５に供給できるため、充電回路５における無駄な電力損失を低減できる。
【００６１】
加えて、制御部１０８ａは、制御信号Ｓ３すなわち出力電圧ＶＯＵＴの設定値に応じて、制御特性すなわち整流電圧ＶＲＥＣＴの目標値を変化させることができる。つまり出力電圧ＶＯＵＴが低いプラットフォームでは、それに追従して整流電圧ＶＲＥＣＴの電圧レベルを低下させることができ、リニアレギュレータ１０６における無駄な電力損失を低減できる。つまり、上述の課題２を解決することができる。
【００６２】
（第３の実施の形態）
第３の実施の形態は、第１の実施の形態と第２の実施の形態の組み合わせである。すなわち制御部１０８は、温度に加えて、外部からの制御信号に応じて、制御特性を変化させる。これにより、課題１，２を解決することができる。
【００６３】
最後に、第１から第３の実施の形態に係るワイヤレス受電装置３を用いた電子機器の例を説明する。
【００６４】
図７は、電子機器の一例を示す図である。図７の電子機器５００は、タブレットＰＣや携帯型ゲーム機、携帯型オーディオプレイヤであり、筐体５０２の内部には、上述の２次電池４、充電回路５、受信コイル６、受電制御回路１００が内蔵される。マイクロコントローラ１０は、電子機器５００を統括的に制御するホストプロセッサであり、２次電池４からの電力を受けて動作する。
【００６５】
以上、本発明について、第１から第３の実施の形態をもとに説明した。これらの実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００６６】
実施の形態では、温度や、出力電圧を設定する制御信号に応じて、制御特性を切りかえる場合を説明したが、本発明はそれらには限定されなず、そのほかの受電制御回路１００やワイヤレス受電装置３の状態に応じて、制御特性を切りかえてもよい。たとえば、ワイヤレス給電装置２の残量や、充電回路による連続充電時間などに応じて、制御特性を切りかえてもよい。こうした変形例によっても、効率の改善や発熱量の抑制といった効果を得ることができる。
【００６７】
実施の形態では、Ｑｉ規格に準拠する受電装置について説明したが、本発明はそれに限定されず、将来策定されるであろう規格に準拠する受電装置にも適用しうる。
【００６８】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６９】
１…ワイヤレス給電システム、２…ワイヤレス給電装置、３…ワイヤレス受電装置、４…２次電池、５…充電回路、６…受信コイル、７…送信コイル、８…ドライバ、９…制御部、１００…受電制御回路、１０２…整流回路、１０４…平滑コンデンサ、１０６…リニアレギュレータ、１０８…制御部、１０９…制御特性、１１０…温度センサ、１１２…制御端子、１０…マイクロコントローラ。
【図１】
2014082864.tif 000003
【図２】
2014082864.tif 000004
【図３】
2014082864.tif 000005
【図４】
2014082864.tif 000006
【図５】
2014082864.tif 000007
【図６】
2014082864.tif 000008
【図７】
2014082864.tif 000009